(57)【要約】【課題】物品を的確に容器に収納することができると共に、容器の交換を簡単かつ速やかに行うことができるようにする。【解決手段】物品が供給される開口を有し、物品を収納する容器４１と、容器４１を、側方からスライド移動可能に支持すると共に、所定の収納位置で容器４１の開口が上方に臨むように支持する支持台４３と、容器４１を所定の収納位置に保持する位置保持機構４５とを備え、位置保持機構４５は、容器４１のスライド移動を阻止するロック状態と容器４１のスライド移動を許容するロック解除状態とに切換え可能である。【選択図】図６
2016016869.tif 000002
【特許請求の範囲】
【請求項１】
物品が供給される開口を有し、前記物品を収納する容器と、
前記容器を、側方からスライド移動可能に支持すると共に、所定の収納位置で容器の前記開口が上方に臨むように支持する支持台と、
前記容器を前記所定の収納位置に保持する位置保持機構とを備え、
前記位置保持機構は、前記容器のスライド移動を阻止するロック状態と前記容器のスライド移動を許容するロック解除状態とに切換え可能である、
ことを特徴とする物品収納装置。
【請求項２】
前記位置保持機構は、前記容器が前記所定の収納位置から支持台に沿って外側方へスライド移動するのを当接阻止するロック部材を備え、
前記ロック部材は、その姿勢を変更することによって、容器のスライド移動を当接阻止するロック状態と、容器のスライド移動を許容するロック解除状態とに切換える、
請求項１に記載の物品収納装置。
【請求項３】
前記ロック部材を前記支持台に設け、ロック部材は、前記ロック状態では、容器のスライド移動径路に突出し、前記ロック解除状態では、容器のスライド移動径路から退避する、
請求項２に記載の物品収納装置。
【請求項４】
前記ロック部材は、前記支持台に回動可能に取付けられ、前記ロック部材の支点周りの回動によって前記ロック状態とロック解除状態とに切換える、
請求項３に記載の物品収納装置。
【請求項５】
前記ロック部材を、前記容器の外面に備えられた取っ手に係合させて前記ロック状態に保持する、
請求項３または４に記載の物品収納装置。
【請求項６】
物品を振動搬送しながら篩い分別する分別部からの物品が、前記所定の収納位置の前記容器に供給される、
請求項１ないし５のいずれかに記載の物品収納装置。
【発明の詳細な説明】
【技術分野】
【０００１】
本発明は、物品を収納する物品収納装置に関し、更に詳しくは、生産ラインなどにおいて、回収される物品などを収納するのに好適な物品収納装置に関する。
【背景技術】
【０００２】
物品の収納には、取っ手付きの箱形容器が用いられることが多く、物品の種類や用途などに応じて種々のものが使用されており、例えば、特許文献１には、取っ手を有する引出し箱と外筐とからなる引出し装置が開示されている。
【先行技術文献】
【特許文献】
【０００３】
【特許文献１】実公平１−３３４６２号公報
【発明の概要】
【発明が解決しようとする課題】
【０００４】
上記特許文献１の引出し装置では、生産ラインなどにおいて、例えば、回収用のシュートやコンベヤから排出される物品を回収収納するような用途に利用するのは困難である。
【０００５】
従来、生産ラインなどにおいて、例えば、回収用のシュートやコンベヤから排出される物品を回収収納するような場合には、前記シュートやコンベヤの排出端に、容器の上端開口が臨むように容器を配置し、前記シュートやコンベヤから排出される物品を容器へ収納し、容器が物品で満たされると、空の容器に交換するようにしている。
【０００６】
この場合、容器を配置する箇所が、振動などの影響を受けるときには、容器の位置がずれて、前記シュートやコンベヤから排出される物品が、容器外へこぼれてしまうことになる。このため、容器を所定の位置に保持する必要がある一方、物品で満たされた容器を、空の容器に容易に交換できるようにする必要がある。
【０００７】
本発明は、このような実情に着目してなされたものであって、物品を的確に容器に収納することができると共に、容器の交換を簡単かつ速やかに行うことができる物品収納装置を提供することを目的とする。
【課題を解決するための手段】
【０００８】
上記目的を達成するために、本発明では、次のように構成している。
【０００９】
（１）本発明に係る物品収納装置は、
物品が供給される開口を有し、前記物品を収納する容器と、
前記容器を、側方からスライド移動可能に支持すると共に、所定の収納位置で容器の前記開口が上方に臨むように支持する支持台と、
前記容器を前記所定の収納位置に保持する位置保持機構とを備え、
前記位置保持機構は、前記容器のスライド移動を阻止するロック状態と前記容器のスライド移動を許容するロック解除状態とに切換え可能である。
【００１０】
本発明によると、スライド移動可能に支持台に支持される容器は、上方から供給される物品を収納する所定の収納位置において、位置保持機構をロック状態にすることによって、前記所定の収納位置に保持され、外部からの振動等によっても容器がずれ動くことはなく、また、位置保持機構を、ロック解除状態に切換えることで、物品が満たされた容器をスライド移動させて容易に新しい空の容器と交換することが可能となる。
【００１１】
また、容器は、側方へスライド移動させて交換できるので、所定の収納位置の容器の上方に、物品を供給するシュートやコンベヤの排出端を近接させて設置することができ、物品をこぼすことなく容器に供給して収納できるものでありながら、容器の交換を、シュートやコンベヤに邪魔されることなく容易に行うことができる。
【００１２】
（２）本発明の好ましい実施態様では、前記位置保持機構は、前記容器が前記所定の収納位置から支持台に沿って外側方へスライド移動するのを当接阻止するロック部材を備え、前記ロック部材は、その姿勢を変更することによって、容器のスライド移動を当接阻止するロック状態と、容器のスライド移動を許容するロック解除状態とに切換える。
【００１３】
この実施態様によると、位置保持機構のロック部材の姿勢を変更するだけで、ロック状態とロック解除状態とに切り換えることができるので、容器が物品で満たされたときには、ロック状態からロック解除状態に切換えて、物品で満たされた容器を、新しい空の容器に容易に交換することができる。
【００１４】
（３）本発明の他の実施態様では、前記ロック部材を前記支持台に設け、ロック部材は、前記ロック状態では、容器のスライド移動径路に突出し、前記ロック解除状態では、容器のスライド移動径路から退避する。
【００１５】
この実施態様によると、容器のスライド移動経路に突出してロック状態に、スライド移動経路から退避してロック解除状態に切換えるロック部材を、支持台に設けるので、容器に何らの改造を施すことがなく、既存の容器を利用することができる。
【００１６】
（４）本発明の他の実施態様では、前記ロック部材は、前記支持台に回動可能に取付けられ、前記ロック部材の支点周りの回動によって前記ロック状態とロック解除状態とに切換える。
【００１７】
この実施態様によると、ロック部材の回動姿勢によって、ロック状態とロック解除状態との切換えを簡単に行うことができるので、物品が満たされた容器のロック状態を解除して、新しい空の容器と速やかに交換することができる。
【００１８】
（５）本発明の更に他の実施態様では、前記ロック部材を、前記容器の外面に備えられた取っ手に係合させて前記ロック状態に保持する。
【００１９】
この実施態様によると、ロック部材を、容器の取っ手に係合させてロック状態とするので、ロック部材をロック状態にするための特別な部材が不要となり、位置保持機構の簡素化を図ることができる。
【００２０】
（６）本発明の他の実施態様では、物品を振動搬送しながら篩い分別する分別部からの物品が、前記所定の収納位置の前記容器に供給される。
【００２１】
この実施態様によると、所定の収納位置の容器は、ロック状態とされるので、振動搬送の振動によってずれ動くことがなく、分別部で分別された物品を、確実に容器に収納することができる一方、容器が物品で満たされたときには、容器を簡単に交換することができる。
【発明の効果】
【００２２】
このように、本発明によれば、物品を的確に容器に収納することができると共に、容器の交換を簡単かつ速やかに行うことができる。
【図面の簡単な説明】
【００２３】
【図１】図１は計量包装装置の全体側面図である。
【図２】図２は計量装置の全体斜視図である。
【図３】図３は物品供給装置の斜視図である。
【図４】図４は物品供給装置の側面図である。
【図５】図５は物品収納装置を後方から見た正面図である。
【図６】図６は物品収納装置の斜視図である。
【図７】図７は物品収納装置の側面図である。
【図８】図８は物品収納装置の正面図である。
【図９】図９は物品収納装置の容器出し入れ状態を示す斜視図である。
【図１０】図１０は物品収納装置の他の実施形態の第１例を示す斜視図である。
【図１１】図１１は上記第１例の側面図である。
【図１２】図１２は上記第１例の正面図である。
【図１３】図１３は物品収納装置の他の実施形態の第２例を示す斜視図である。
【図１４】図１４は上記第２例の正面図である。
【図１５】図１５は上記第２例における容器押し込み途中の状態を示す正面図である。
【図１６】図１６は物品収納装置の他の実施形態の第３例を示す斜視図である。
【図１７】図１７は上記第３例の正面図である。
【図１８】図１８は物品収納装置の他の実施形態の第４例を示す斜視図である。
【図１９】図１９は上記第４例における位置保持機構の平面図である。
【発明を実施するための形態】
【００２４】
以下、本発明の実施形態を、図面を参照しながら詳細に説明する。
【００２５】
図１は、本発明の一実施形態に係る物品収納装置を備えた計量包装装置の側面図である。
【００２６】
この計量包装装置は、供給される物品を所定重量ずつ計量して排出する組合せ秤１と、排出される物品を袋詰め包装する包装機２と、物品を振動搬送して組合せ秤１の上部中心に供給する物品供給装置３と、物品供給装置３で回収される物品を収納する物品収納装置４０とを備えている。
【００２７】
計量包装される物品は、特に限定されないが、この実施形態では、くっついて塊を形成し易い物品、例えば、シロップ等で加工処理された甘納豆などである。
【００２８】
組合せ秤１、物品供給装置３及び物品収納装置４０等は、階上の高床部４に設置されると共に、包装機２は、階下の床面上に設置されている。
【００２９】
組合せ秤１には、中央上部に供給された物品を振動によって放射状に分散搬送する円錐形の分散フィーダ５、分散フィーダ５の外周に沿って配置されて、分散搬送された物品を放射状に振動搬送する複数台のリニアフィーダ６、各リニアフィーダ６の終端下方に配備されて、搬送されてきた物品を一時貯留する供給ホッパ７、各供給ホッパ７から排出された物品を受け取ってその重量を計測する計量ホッパ８、各計量ホッパ８から排出された物品を装置の中心下方に向けて流下案内する集合シュート９、集合シュート９の中心下方に配備された集合ホッパ１０、等が備えられている。この組合せ秤１では、物品の合計重量が所定重量範囲となるように組合せ選択された複数の計量ホッパ８からの物品を、集合シュート９を介して集合ホッパ１０に集め、包装機２からの排出指令に応じて集合ホッパ１０から包装機２へ排出する。
【００３０】
物品供給装置３は、ベルト式の搬入コンベヤ１１から投入される物品を受止めて篩い選別する分別部１２と、分別部１２の下方に配置されて、分別部１２から落下した物品を一定方向に振動搬送してクロスヘッドフィーダ１４に供給する搬送トラフ１３と、分別部１２及び搬送トラフ１３を一体に振動させる振動装置１８とを備えている。クロスヘッドフィーダ１４は、搬送トラフ１３から供給される物品を受け取って、引き続き同方向に振動搬送して組合せ秤１における分散フィーダ５の中心部に供給する。
【００３１】
物品収納装置４０は、分別部１２による篩い選別で搬送トラフ１３に落下しなかった物品の塊を、リジェクトシュート２９を介して回収収納する。
【００３２】
高床部４には、２本の支柱１５，１６が立設され、一方の支柱１５の上端部に基台１７を介して物品供給装置３の振動装置１８が搭載連結される。この振動装置１８に対して、搬送トラフ１３が脱着自在に連結され、更に、搬送トラフ１３上に、重ねて分別部１２が脱着自在に連結されている。また、他方の支柱１６の上端部に、基台１９を介してクロスヘッドフィーダ１４の振動装置２０が搭載されている。
【００３３】
図２は、図１の組合せ秤１、物品供給装置３及び物品収納装置４０を含む計量装置の全体斜視図であり、図３は、物品供給装置３の斜視図であり、図４は、物品供給装置３の側面図である。
【００３４】
物品供給装置３の搬送トラフ１３は、物品搬送方向（図４の左方向）の下流側である後端が開放されると共に、図４に示すように、底面が、物品搬送方向の下流側に向かって少し先下がり傾斜された幅広の樋状に形成されている。この搬送トラフ１３の物品搬送方向の終端には、大きく先下がり傾斜された排出シュート２４が連結されている。この排出シュート２４の排出端が、図１，図２に示すクロスヘッドフィーダ１４における、物品搬送方向の上流側である前端部上方に臨むように配設されている。
【００３５】
この搬送トラフ１３は、図４に示すように、支持枠２１等を介して振動装置１８に連結されている。
【００３６】
物品供給装置３の分別部１２は、物品搬送方向の上流側に位置する前段の分別部分１２Ａと、下流側に位置する後段の分別部部分１２Ｂとが、前後直列に配置された前後２段の分割構造となっている。各分別部分１２Ａ，１２Ｂには、供給された物品から単体の物品を落下分別する篩い部材２８ａ，２８ｂ、及び、搬送される物品が横外方に洩れるのを防ぐ左右の側板２５ａ，２５ｂがそれぞれ備えられている。
【００３７】
篩い部材２８ａ，２８ｂは、多数本の丸い棒材を単体の物品が通過するに足る一定の小間隔をもって横方向に並列して前後水平に架設して構成される。
【００３８】
前後の分別部分１２Ａ，１２Ｂは、クランプ機構３２によって、搬送トラフ１３上に脱着可能に連結支持される。
【００３９】
図１，図２に示すように、分別部１２の後端外方には、篩い部材２８ａ，２８ｂの間から落下することなく搬送されてきた物品の塊を受け止めて横外側方に案内流下させる山形のリジェクトシュート２９が配設されている。このリジェクトシュート２９に案内されて左右に振分け排出された物品の塊は、左右のシュート排出口の下方に配置した物品収納装置４０の容器４１にそれぞれ回収収納される。
【００４０】
図５は、左右の物品収納装置４０を後方から見た正面図であり、図６は、一方の物品収納装置４０の斜視図である。
【００４１】
物品収納装置４０は、図１及び図２に示される振動装置２０を搭載支持する基台１９の左右箇所から立設された支持フレーム４２にそれぞれ支持されている。各支持フレーム４２の上端部には、容器４１を脱着可能に装填する支持台４３が備えられている。この支持台４３は、その前後端から側板４３ａ，側板４３ｂが起立形成されると共に、奥側の端辺から横側板４３ｃが起立形成されて、前後及び奥側が囲まれて、横外方のみが開放された構造となっている。また、横側板４３ｃから上方に延出した連結部４３ｃ'にリジェクトシュート２９が連結支持される。
【００４２】
図６に示すように、容器４１は、上端が全面開放された開口を有する矩形の箱形に構成されている。この容器４１の横外側面には、丸棒材の前後端部を側方に屈曲してなる取っ手４４が取り付けられている。支持台４３の前後の側板４３ｂ，４３ａは、容器４１をガタ少なく挿入し得る前後間隔をもって立設されており、排出端が容器４１の上方近傍にまで張り出しているリジェクトシュート２９に接触することなく容器４１を、横側方から支持台４３上にスライド移動できるようになっている。
【００４３】
支持台４３上の所定の収納位置にスライド移動された容器４１は、位置保持機構４５によって横外方にずれ動くことが阻止されるようになっている。
【００４４】
図６〜図９に示すように、この位置保持機構４５は、支持台４３の外側端から下向きに屈折連設した支点ブラケット４６に、アーム状のロック部材４７を横向きの支点ｘ周りに回動可能に連結して構成されている。
【００４５】
このロック部材４７の支点ｘは、取っ手４４に対して後方（図７の左方）に偏って設置されており、ロック部材４７を反時計方向に回動させると、その先端部に形成した係合凹部４８が取っ手４４における後側の脚部４４ｂに係合し、ロック部材４７が、容器４１の横外方へのスライド移動を当接阻止するロック状態がもたらされる。また、このロック状態からロック部材４７を時計方向に回動させると、ロック部材４７は取っ手４４における前方の脚部４４ａに干渉することなく大きく回動して、支持台４３の下方に退避したロック解除状態となる。
【００４６】
なお、他の実施形態として、取っ手を省略し、あるいは、取っ手とは別に、ロック部材が係合する係合部を設け、この係合部にロック部材を係合させてロック状態としてもよい。
【００４７】
この実施形態では、上記のように支持台４３に回動可能に支持されたロック部材４７の回動姿勢を変更することによって、ロック状態とロック解除状態とに切換えることが可能である。
【００４８】
また、回動するロック部材４７の可動域は、容器４１の側面及びその下方の領域に納まるので、大きなスペースを必要とすることなく、周辺の他の装置と干渉することがない。
【００４９】
更に、容器４１をスライド移動可能に支持する支持台４３は、図９に示すように、容器４１を取外した状態では、横外方が大きく開放されると共に、底板及び各側板４３ａ，４３ｂ，４３ｃの内面が、平らな面となっているので、支持台４３の清掃を容易に行うことができる。
【００５０】
また、容器４１は、支持台４３に簡単に取付け、取外しできるので、容器４１を、支持台４３から取外して容易に洗浄することができ、容器４１の洗浄を頻繁に行うことができる。
【００５１】
本実施形態の物品収納装置４０は、以上のように構成されており、搬入コンベヤ１１によって分別部１２に供給された物品は、前段及び後段の分別部分１２Ａ，１２Ｂによって振動搬送され、単体の物品や物品の小さな塊は、棒状の篩い部材２８ａ，２８ｂの間から搬送トラフ１３に落下する。落下した単体の物品及び物品の小さな塊は、搬送トラフ１３によって後方へ振動搬送され、排出シュート２４を介してクロスヘッドフィーダ１４に送り込まれる。
【００５２】
また、分別部分１２Ａ，１２Ｂで搬送トラフ１３に落下しなかった物品の大きな塊は、リジェクトシュート２９を介して左右に流下排出されて、物品収納装置４０の容器４１に回収される。この場合、リジェクトシュート２９は山形に形成されているので、搬送トラフ１３の排出シュート２４を容易に見通すことができ、搬送トラフ１３からの物品排出状態を監視しやすいものとなっている。
【００５３】
本実施形態の物品収納装置４０によれば、容器４１が回収収納した物品で満杯近くになると、新しい容器４１と交換する。この場合、位置保持機構４５のロック部材４７を、ロック解除方向である時計方向に回動することで、取っ手４４における後方の脚部４４ｂに係合されていたロック部材４７は、前方の脚部４４ａに干渉することなく支持台４３の下方にまで大きく回動退避されて、支持台４３の横外方が開放され、容器４１を横外方にスライドさせて抜き出すことができる。
【００５４】
そして、空の容器４１を支持台４３の上にスライド挿入した後、ロック部材４７を反時計方向に回動操作して、その先端の係合凹部４８を取っ手４４における後方の脚部４４ｂに係合させる。これによって、容器４１は横外方へスライド移動不能となり、新しい容器４１の交換が完了する。
【００５５】
このように、本実施形態の物品収納装置４０によれば、リジェクトシュート２９の排出端が、容器４１の上端近くにおいて容器４１上に張り出しているので、排出されてくる物品をこぼすことなく容器４１に回収収納できると共に、上方に取り外せない容器４１を、リジェクトシュート２９に邪魔されることなく横外方からスライド移動させて挿抜することができる。また、支持台４３の所定の収納位置に載置した容器４１は、位置保持機構４５におけるロック部材４７を回動するだけの簡単な操作で横外方への移動を阻止しておくことができ、物品搬送に伴う振動が伝わっても容器４１が不用意に位置ずれしたりずれ落ちたりすることはなく、物品を、的確に回収収納することができる。
【００５６】
［他の実施形態］
本発明は、位置保持機構４５を以下のような形態にして実施することもできる。
【００５７】
〔第１例〕
図１０〜図１２に示すように、容器４１自体の外側面に、取っ手４４に対して前方（図１１の右方）に偏った支点ｙ周りに回動自在にロック部材４７を連結すると共に、支持台４３を横外方に延長して、この延長部に前後に長いスリット４９を形成する。ロック部材４７を、反時計方向に回動して振り下げすることで、ロック部材４７の先端部をスリット４９に係入して、容器４１の横外方への移動を阻止するロック状態がもたらされる。また、ロック部材４７を、時計方向に振り上げ回動して、ロック部材４７の先端の係合凹部４８を取っ手４４の前側の脚部４４ａに係合保持させることで、ロック部材４７をスリット４９から離脱させた状態、つまり、容器４１の横外方への移動を許容するロック解除状態に保持しておくことができる。
【００５８】
〔第２例〕
図１３〜図１５に示すように、支持台４３における前後の側板４３ａ，４３ｂの外面に、フック形状のロック部材５１を、前後向きの支点ｚ周りに一定範囲で上下に回動可能に連結すると共に、側板４３ａ，４３ｂに、容器４１の係止ピン５２を横外方から挿抜可能な切欠き５３を形成する。容器４１の前後の外面には、前記係止ピン５２を突設する。
【００５９】
この構成によると、ロック部材５１を自重回動させると、ロック部材５１の支点側端部が、側板４３ａ，４３ｂの上端に折り曲げ形成したストッパ５４に当接することで、ロック部材５１の遊端フック部が、切欠き５３に重複する姿勢で保持される。この状態で容器４１を横外側方から支持台４３上に押し込んでゆくと、先ず、係止ピン５２が、ロック部材５１の遊端フック部における外上がり傾斜面ｓに当接し、容器４１の引き続く押し込みによってロック部材５１が、係止ピン５２によって押し上げ回動される。そして、容器４１の横側板４３ｃに当接する所定の収納位置まで押し込まれると、係止ピン５２が遊端フック部５１ａの傾斜面ｓから外れ、ロック部材５１は自重で下方回動して、遊端フック部５１ａが係止ピン５２に係合する。これによって、容器４１の横外方への移動を阻止するロック状態がもたらされる。つまり、容器の装着時には、容器押し込み操作に伴って自動的にセルフロックが掛かることになる。
【００６０】
また、容器４１を取り外す際には、先ず、ロック状態の各ロック部材５１を上方に大きく回動操作して、ロック解除状態にした後、ロック解除された容器４１を横外方に引き出す。次に、各ロック部材５１を下方に回動操作した状態で、新しい空の容器４１を支持台４３上に押し込んでゆけばよい。
【００６１】
〔第３例〕
図１６，図１７に示すように、支持台４３の下面に、板バネ材からなるレバー状のロック部材５６を横外方に向かう片持ち状に連結する。ロック部材５６は、自由状態において、その遊端部に屈折形成した係止部５６ａが支持台４３上の容器移動径路に突出するようになっており、所定の収納位置にある容器４１の横外側面の下部に、ロック部材５６の係止部５６ａが係合し、これによって、容器４１の横外方への移動を阻止するロック状態がもたらされる。
【００６２】
容器４１の取外しに際しては、ロック状態にあるロック部材５６の係止部５６ａを、手指で押し下げて支持台４３上の容器移動径路より下方に没入変位させることで、容器４１を横外方に抜き出し可能なロック解除状態とすることができる。容器４１を装着する場合は、空の容器４１の底面で係止部５６ａを押さえつけて下方に変形させながら支持台４３の上面に沿って押し込んでゆく。空の容器４１が所定の収納位置にまで押し込まれると、容器４１の底面で押し下げられていたロック部材５６の係止部５６ａが容器底面から外れて上方に弾性復元し、自動的に上記したロック状態になる。つまり、装着時はセルフロックが掛かることになる。
【００６３】
〔第４例〕
図１８，図１９に示すように、容器４１の奥側の外面に平面形状が菱形の係合突起６８をロック部材として取り付けると共に、支持台４３の横側板４３ｃに形成した開口部６９の外側にブラケット部７０を切り出し突設する。このブラケット部７０に前記係合突起６８に対応するローラ型のキャッチャー７１を内向きに取り付ける。これによると、容器４１を横外側方から支持台４３上に強く押し込むことで、容器４１の係合突起６８がキャッチャー７１に弾性的に捕らえられ、容器４１の横外方への移動を阻止するロック状態がもたらされる。また、装填位置の容器４１を強く横外方に引けば、係合突起６８がキャッチャー７１から離脱し、そのまま容器４１を横外方に引き出すことができる。
【符号の説明】
【００６４】
１２                分別部
２９                リジェクトシュート
４０                物品収納装置
４１                容器
４３                支持台
４４                取っ手
４５                位置保持機構
４７                ロック部材
５１                ロック部材
５６                ロック部材
【図１】
2016016869.tif 000003
【図２】
2016016869.tif 000004
【図３】
2016016869.tif 000005
【図４】
2016016869.tif 000006
【図５】
2016016869.tif 000007
【図６】
2016016869.tif 000008
【図７】
2016016869.tif 000009
【図８】
2016016869.tif 000010
【図９】
2016016869.tif 000011
【図１０】
2016016869.tif 000012
【図１１】
2016016869.tif 000013
【図１２】
2016016869.tif 000014
【図１３】
2016016869.tif 000015
【図１４】
2016016869.tif 000016
【図１５】
2016016869.tif 000017
【図１６】
2016016869.tif 000018
【図１７】
2016016869.tif 000019
【図１８】
2016016869.tif 000020
【図１９】
2016016869.tif 000021